(57)【要約】【課題】プリント注文受付装置でプリント注文を行う場合に、表示部に表示された画像が覗き見されるのを防止する。【解決手段】写真店において顧客がプリント注文を行う場合には、受付装置本体１０の読み取り部１１で画像データの読み取りを行う。すると、画像を含む注文画面に対応したデータが受付装置本体１０から受付端末３０に送信される。顧客は、受付端末３０の表示部３１に表示された注文画面を見ながら、受付端末３０の操作部３２によって注文画像の決定や各注文画像の枚数の入力等の操作を行う。そして、顧客が注文情報の入力を完了すると、注文情報に対応したデータが、受付端末３０から受付装置本体１０に送信される。【選択図】図２
2008021136.tif 000002
【特許請求の範囲】
【請求項１】
画像データが記録された記録媒体から画像データを読み取る読み取り部を有する受付装置本体と、
前記読み取り部で読み取られた画像データに係る画像を含む注文画面を表示する表示部と、前記表示部に表示された注文画面に対応した注文情報の入力を行う操作部とを有すると共に、前記受付装置本体とは分離された受付端末とを備えていることを特徴とするプリント注文受付装置。
【発明の詳細な説明】
【技術分野】
【０００１】
本発明は、画像データを記録媒体から読み取ると共に、その画像データに対するプリント注文を受け付けるプリント注文受付装置に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、露光現像装置と共に、顧客自身が操作可能なプリント注文受付装置が設置されることが一般的になってきている（例えば、特許文献１参照）。写真店では、複数のプリント注文受付装置はカウンタ上に設置されている。従って、顧客は、各自で、デジタルカメラで撮影された画像データが保存されたメディアをセットした後で、複数の画像が表示されたモニタを見ながらプリント枚数などの入力を行う。
【特許文献１】特開２００３−７８６８３号公報
【発明の開示】
【発明が解決しようとする課題】
【０００３】
多くの写真店では、集客力を上げるために、プリント注文受付装置は最も人の目に付く場所に設置される。しかしながら、プリント注文を行う顧客の立場から考えると、モニタに映し出された画像が他人に見られてしまう可能性が高くなってしまう。特に順番待ちの顧客が並んでいる場合には、どうしてもモニタ上の画像が覗き見されることになり、プリント注文受付装置での注文を控える顧客がいるのが現状である。
【０００４】
そこで、本発明の主な目的は、プリント注文を行う場合に表示部に表示された画像が覗き見されるのを防止することができるプリント注文受付装置を提供することである。
【課題を解決するための手段および発明の効果】
【０００５】
本発明のプリント注文受付装置は、画像データが記録された記録媒体から画像データを読み取る読み取り部を有する受付装置本体と、前記読み取り部で読み取られた画像データに係る画像を含む注文画面を表示する表示部と、前記表示部に表示された注文画面に対応した注文情報の入力を行う操作部とを有すると共に、前記受付装置本体とは分離された受付端末とを備えている。
【０００６】
この構成によると、顧客が操作を行う受付端末が受付装置本体から分離されているので、顧客は、例えば壁を背にすることで後ろから覗き見されない状態でプリント注文の入力操作を行うことができる。従って、受付端末の表示部に表示された画像が覗き見されるのを防止することができる。また、受付端末の表示部を小さくすることでさらに覗き見されにくくなる。また、受付装置本体は表示部や操作部を有しないので小型化できる。そのため、複数のプリント注文受付装置が写真店に設置される場合に、従来に比べ、多くの台数を設置することができる。また、上記の小型化によって製造コストを低減でき、従来と同じコストで設置台数を大幅に増やすことができる。その結果、写真店での集客力を上げることができる。
【発明を実施するための最良の形態】
【０００７】
以下、本発明の実施の形態について、図面を参照しつつ説明する。図１は、本発明の実施の形態に係るプリント注文受付装置が含まれるプリントシステムの構成を示す図である。
【０００８】
写真店内のプリントシステム１は、複数のプリント注文受付装置（注文受付装置）２と、ホストコンピュータ３と、写真処理装置４と、プリンタ５とを有している。そして、複数の注文受付装置２は、ホストコンピュータ３に接続ケーブルでそれぞれ接続されており、データの送受信が可能になっている。また、ホストコンピュータ３は、写真処理装置４及びプリンタ５に接続ケーブルで接続されており、注文受付装置２から受信した注文情報を写真処理装置４又はプリンタ５に送信可能になっている。
【０００９】
本実施の形態のプリントシステム１では、注文受付装置２で受け付けた注文に係る画像のプリントが写真処理装置４で行われる場合には、注文だけを受け付け、その後、写真処理装置４で作成されたプリントが、後日、写真店を訪れた顧客に渡される。一方、注文受付装置２で受け付けた注文に係る画像のプリントがプリンタ５で行われる場合には、注文を受け付けた後、その場でプリンタ５で作成されたプリントが顧客に渡される
【００１０】
注文受付装置２は、図２及び図３に示すように、受付装置本体１０と、受付端末３０とを有している。受付装置本体１０と受付端末３０とは分離されており、無線で、受付装置本体１０と受付端末３０との間で画像データ等の送受信が可能になっている。従って、写真店のカウンタ上に受付装置本体１０が設置されている場合には、その近傍に、その受付装置本体１０に対応した受付端末３０が載置されている。
【００１１】
受付装置本体１０は、画像データが記録されたスマートメディア、コンパクトフラッシュ(登録商標）、メモリスティックやＣＤ−ＲＯＭ等から画像データを読み取る読み取り部１１と、読み取り部１１で読み取られた画像データなどを記憶する記憶部１２と、受付端末３０及びホストコンピュータ３との間でデータを送受信する送受信部１３とを有している。
【００１２】
一方、受付端末３０は、注文画面を表示する表示部３１と、注文情報の入力を行うための複数のボタンを含む操作部３２と、画像データ等を記憶する記憶部３３と、受付装置本体１０との間でデータを送受信する送受信部３４とを有している。本実施の形態では、受付端末３０の表示部３１の大きさは２．５〜３インチである。操作部３２では、注文画像の選択、注文画像の決定、各注文画像の枚数の入力等の操作が可能である。
【００１３】
以上説明したように、本実施の形態の注文受付装置２では、顧客が操作を行う受付端末３０が受付装置本体１０から分離されているので、顧客は、例えば壁を背にすることで後ろから覗き見されない状態でプリント注文の入力操作を行うことができる。従って、受付端末３０の表示部３１に表示された画像が覗き見されるのを防止することができる。また、受付端末３０の表示部３１を小さくすることでさらに覗き見されにくくなる。また、受付装置本体１０は表示部や操作部を有しないので小型化できる。そのため、複数の注文受付装置２が写真店に設置される場合に、従来に比べ、多くの台数を設置することができる。また、上記の小型化によって製造コストを低減でき、従来と同じコストで設置台数を大幅に増やすことができる。その結果、写真店での集客力を上げることができる。
【００１４】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、受付装置本体１０と受付端末３０との間では無線で画像データ等を送受信可能になっているが、受付装置本体１０と受付端末３０とが接続ケーブルで接続されることで画像データ等を送受信可能になっていてもよい。
【図面の簡単な説明】
【００１５】
【図１】本発明の実施の形態に係るプリント注文受付装置が含まれるプリントシステムの構成を示す図である。
【図２】プリント注文受付装置の外観図を示す図である。
【図３】プリント注文受付装置のブロック図である。
【符号の説明】
【００１６】
１  プリントシステム
２  プリント注文受付装置
３  ホストコンピュータ
４  写真装置装置
５  プリンタ
１０  受付装置本体
１１  読み取り部
１２  記憶部
１３  送受信部
３０  受付端末
３１  表示部
３２  操作部
３３  記憶部
３４  送受信部
【図１】
2008021136.tif 000003
【図２】
2008021136.tif 000004
【図３】
2008021136.tif 000005